(57)【要約】【課題】可動電極と固定電極との間での必要な導通は確保しながら、可動電極が静電気を拾い難く構成された回転形パルススイッチを提供する。【解決手段】回転中心から同一半径の位置に複数の接点部５７Ａが形成された可動電極と、複数の接点部５７Ａの回転軌跡Ｔと同じ円周上において複数の被接点部６０が飛び石状に配置された固定電極５０とを備える回転形パルススイッチであって、固定電極５０は、第１固定電極パターン５２Ａ、第２固定電極パターン５２Ｂ、及び、共通固定電極パターン５１を、各固定電極パターン５１、５２Ａ、５２Ｂが互いに導通しない状態で有し、複数の被接点部６０は、可動電極の回転途中において、複数の接点部６０の何れもが、第１固定電極パターン５２Ａ、第２固定電極パターン５２Ｂ、及び、共通固定電極パターン５１と導通しない全絶縁状態が発生するような位置関係で配置されている。【選択図】図２
2008097968.tif 000002
【特許請求の範囲】
【請求項１】
回転中心を有し、当該回転中心から同一半径の位置に複数の接点部が形成された可動電極と、当該可動電極と対面して設けられ、前記複数の接点部の回転軌跡と同じ円周上において複数の被接点部が飛び石状に配置された固定電極とを備え、前記可動電極を回転させるときの前記接点部と前記被接点部との導通状態に基づいて前記可動電極の回転情報を検出する回転形パルススイッチであって、
前記固定電極は、前記複数の被接点部のうちの１以上の被接点部を有して構成される第１固定電極パターン、前記複数の被接点部のうちの１以上の被接点部を有して構成される第２固定電極パターン、及び、前記複数の被接点部のうちの２以上の被接点部を有して構成される共通固定電極パターンを、各固定電極パターンが互いに導通しない状態で有し、
前記複数の被接点部は、前記可動電極の回転途中において、前記複数の接点部の何れもが、前記第１固定電極パターン、前記第２固定電極パターン、及び、前記共通固定電極パターンと導通しない全絶縁状態が発生するような位置関係で配置されている回転形パルススイッチ。
【請求項２】
前記全絶縁状態が発生しているときの前記可動電極を接地する接地手段を備える請求項１記載の回転形パルススイッチ。
【請求項３】
前記第１固定電極パターンは前記複数の被接点部のうちの２以上の被接点部を有し、当該２以上の被接点部は前記円周上において連続して並んで配置され、
前記第２固定電極パターンは前記複数の被接点部のうちの２以上の被接点部を有し、当該２以上の被接点部は前記円周上において連続して並んで配置され、
前記共通固定電極パターンが有する前記２以上の被接点部は、前記円周上において、前記第１固定電極パターンが有する前記２以上の被接点部、及び、前記第２固定電極パターンが有する前記２以上の被接点部によって分離されて配置されている請求項１又は２記載の回転形パルススイッチ。
【発明の詳細な説明】
【技術分野】
【０００１】
本発明は、回転中心を有し、当該回転中心から同一半径の位置に複数の接点部が形成された可動電極と、当該可動電極と対面して設けられ、複数の接点部の回転軌跡と同じ円周上において複数の被接点部が飛び石状に配置された固定電極とを備え、可動電極を回転させるときの接点部と被接点部との導通状態に基づいて可動電極の回転情報を検出する回転形パルススイッチに関する。
【背景技術】
【０００２】
携帯電話機、ＰＤＡ、ゲーム機器の操作入力部や、家庭電化製品の操作入力部等において、その回転操作を検出するための回転形パルススイッチがある。特許文献１に記載の回転形パルススイッチは、回転中心を有し、当該回転中心から同一半径の位置に複数の接点部が形成された可動電極と、当該可動電極と対面して設けられ、複数の接点部の回転軌跡と同じ円周上において複数の被接点部が飛び石状に配置された固定電極とを備える。そして、可動電極を回転させるときの接点部と被接点部との導通状態に基づいて可動電極の回転量や回転方向などの回転情報を検出する。また、固定電極は、複数の被接点部のうちの１以上の被接点部を有して構成される第１固定電極パターン、複数の被接点部のうちの１以上の被接点部を有して構成される第２固定電極パターン、及び、１つの被接点部を有して構成される共通固定電極パターンを、各固定電極パターンが互いに導通しない状態で有している。そして、可動電極が１回転（３６０°回転）する間は、１つの被接点部からなる共通固定電極パターンに対して可動電極の少なくとも１つの接点部が常時接触している。従って、可動電極と第１固定電極パターンとの接触状態及び絶縁状態の切り換わりタイミング、及び、可動電極と第２固定電極パターンに対する接触状態及び絶縁状態の切り換わりタイミングを解析することで、可動電極の回転情報を導出できる。
【０００３】
【特許文献１】特許第３０３８２８６号公報
【発明の開示】
【発明が解決しようとする課題】
【０００４】
特許文献１に記載の回転形パルススイッチでは、上述のように、可動電極が１回転（３６０°回転）する間、共通固定電極パターンに対して可動電極が常時接触している。従って、可動電極は回転中に静電気を常時拾ってしまうという問題がある。また、可動電極が静電気を帯びていると、可動電極及び固定電極と電気的に接続されている各種電気部品にその静電気が入り込み、静電破壊によって電気部品が損傷することになる。
【０００５】
本発明は、上記の課題に鑑みてなされたものであり、その目的は、可動電極と固定電極との間での必要な導通は確保しながら、可動電極が静電気を拾い難く構成された回転形パルススイッチを提供する点にある。
【課題を解決するための手段】
【０００６】
上記目的を達成するための本発明に係る回転形パルススイッチの特徴構成は、回転中心を有し、当該回転中心から同一半径の位置に複数の接点部が形成された可動電極と、当該可動電極と対面して設けられ、前記複数の接点部の回転軌跡と同じ円周上において複数の被接点部が飛び石状に配置された固定電極とを備え、前記可動電極を回転させるときの前記接点部と前記被接点部との導通状態に基づいて前記可動電極の回転情報を検出する回転形パルススイッチであって、
前記固定電極は、前記複数の被接点部のうちの１以上の被接点部を有して構成される第１固定電極パターン、前記複数の被接点部のうちの１以上の被接点部を有して構成される第２固定電極パターン、及び、前記複数の被接点部のうちの２以上の被接点部を有して構成される共通固定電極パターンを、各固定電極パターンが互いに導通しない状態で有し、
前記複数の被接点部は、前記可動電極の回転途中において、前記複数の接点部の何れもが、前記第１固定電極パターン、前記第２固定電極パターン、及び、前記共通固定電極パターンと導通しない全絶縁状態が発生するような位置関係で配置されている点にある。
【０００７】
上記特徴構成によれば、可動電極の回転途中において、可動電極の接点部と固定電極の被接点部は、可動電極と固定電極とが導通する導通状態、及び、可動電極と固定電極とが導通しない全絶縁状態が発生するような位置関係で配置されている。つまり、全絶縁状態が発生している間は、可動電極が静電気を拾うことが無くなる。
従って、可動電極と固定電極との間での必要な導通は確保しながら、可動電極が静電気を拾い難く構成された回転形パルススイッチが提供される。そして、可動電極及び固定電極と電気的に接続されている各種電気部品が静電破壊によって損傷する頻度が低くなる。
【０００８】
本発明に係る回転形パルススイッチの別の特徴構成は、前記全絶縁状態が発生しているときの前記可動電極を接地する接地手段を備える点にある。
【０００９】
上記特徴構成によれば、可動電極が帯びている静電気を、全絶縁状態が発生している間に接地手段へ逃がすことができる。よって、可動電極及び固定電極と電気的に接続されている各種電気部品が静電破壊によって損傷する頻度を更に低くできる。
【００１０】
本発明に係る回転形パルススイッチの別の特徴構成は、前記第１固定電極パターンは前記複数の被接点部のうちの２以上の被接点部を有し、当該２以上の被接点部は前記円周上において連続して並んで配置され、
前記第２固定電極パターンは前記複数の被接点部のうちの２以上の被接点部を有し、当該２以上の被接点部は前記円周上において連続して並んで配置され、
前記共通固定電極パターンが有する前記２以上の被接点部は、前記円周上において、前記第１固定電極パターンが有する前記２以上の被接点部、及び、前記第２固定電極パターンが有する前記２以上の被接点部によって分離されて配置されている点にある。
【００１１】
上記特徴構成によれば、共通固定電極パターンが有する２以上の被接点部は、回転軌跡と同じ円周上において、第１固定電極パターン及び第２固定電極パターンによって分離されて配置されている。つまり、共通固定電極パターンが有する２以上の被接点部のそれぞれは、上記円周上で、第１固定電極パターン及び第２固定電極パターンを間に挟んで位置している。よって、共通固定電極パターンが円周上で分離して配置されているので、その円周の中央部に共通固定電極パターンと連結される他の電極パターンを形成する必要が生じても、分離されて配置された共通固定電極パターンのそれぞれから連結した状態で上記他の電極パターンを形成できる。よって、上記共通固定電極パターン及び上記他の電極パターンは、共通固定電極パターンのそれぞれを基準位置として用いて位置合わせされた上で下地層に形成されるので、その設置位置の精度は高くなる。
【発明を実施するための最良の形態】
【００１２】
＜第１実施形態＞
以下に図面を参照して第１実施形態の回転形パルススイッチについて説明する。
図１は、回転形パルススイッチの縦断側面図であり、図２は、下部ケースの底壁部に設けられた固定電極の配置を示す図である。また、図３は、ロータに備えた可動電極を示す図であり、図４は、ロータと可動電極との分解斜視図である。
【００１３】
この回転形パルススイッチは、ケース１０に対して上下方向に向かう姿勢の操作ロッド２０を備えると共に、この操作ロッド２０の傾動操作を電気的に検出する傾動検出部Ａと、この操作ロッド２０のロッド軸芯Ｙに沿う方向への押込み操作を電気的に検出する押込み検出部Ｂと、この操作ロッド２０の回転操作を電気的に検出する回転検出部Ｃとを備えて複合操作スイッチが構成されている。この複合操作スイッチは、携帯電話機、ＰＤＡ、ゲーム機器の操作入力部や、家庭電化製品の操作入力部等に備えられるものである。この複合操作スイッチは使用時において上下方向は無関係であるが、図１の上側を上方と称し、下側を下方と称する。
【００１４】
この複合操作スイッチは非操作状態にある場合には操作ロッドが中立姿勢Ｎを維持し、傾動検出部Ａは中立姿勢Ｎを基準にして十字の方向への傾動操作を検出する。操作ロッド２０の軸芯をロッド軸芯Ｙと称し、押込み検出部Ｂはロッド軸芯Ｙに沿う方向への押込み操作を電気的に検出する。回転検出部Ｃは、中立姿勢Ｎのロッド軸芯周りでの回転操作量を電気的に検出する。
【００１５】
この複合操作スイッチでは操作ロッド２０を十字方向に操作した際に、この４方向への傾動操作を検出するように傾動検出部Ａを構成しているが、この傾動検出部Ａの検出方向として４方向未満の方向への傾動を検出するように構成して良く、８方向等、５方向以上の方向への傾動を検出するものであっても良い。
【００１６】
ケース１０はトップカバー１１と上部ケース１２と下部ケース１３とを連結して構成されている。トップカバー１１と、上部ケース１２と、下部ケース１３とは絶縁性の樹脂材料を型成形することにより、中立姿勢Ｎのロッド軸芯Ｙに沿う方向視での断面形状が正８角形に形成されている。
【００１７】
トップカバー１１には操作ロッド２０が上下方向に貫通する貫通孔１１Ａが形成され、このトップカバー１１の下面側には操作ロッド２０の傾動中心Ｐから等距離となる凹状の案内面１１Ｇが形成される。更に、このトップカバー１１の外周部に一体形成した４つの連結片１４を下方に向けて突設し、この連結片１４の先端に孔状となる係合連結部１４Ａを形成している。
【００１８】
貫通孔１１Ａは平面視において、傾動方向に沿う十字状の案内溝１１ＡＧを有した構造であり、この案内溝１１ＡＧの内面は傾動中心Ｐの方向に向かう傾斜面に形成されている。
【００１９】
また、この上部ケース１２の中間壁部１２Ｂの上面側には操作ロッド２０を挟んで十字方向となる４箇所の検出位置に導体で成るセンター電極３１が形成され、このセンター電極３１を取り囲む位置に導体で成るリング電極３２が形成されている。
【００２０】
この上部ケース１２の中間壁部１２Ｂの内部には４つのセンター電極３１と個別に導通する独立した傾動検出回路と、４つのリング電極３２と導通するコモン回路とが中間壁部１２Ｂにインサートの技術によって形成され、傾動検出回路に導通する４つの傾動検出リード３３が下方に向けて突出形成され、コモン回路と導通する単一のコモンリード３４が下方に向けて突出形成されている。
【００２１】
下部ケース１３は、中立姿勢Ｎのロッド軸芯Ｙに沿う姿勢の筒状の側壁部１３Ａと、中立姿勢Ｎのロッド軸芯Ｙに対して直交する姿勢の底壁部１３Ｂとを一体形成し、底壁部１３Ｂの上面中央には押込み検出部Ｂが配置される環状のリブ状の接当部１３Ｃと、この外周位置に環状のリブ状のバネ受け部１３Ｄとが同心円状に突出形成されている。
【００２２】
図１及び図２に示すように、この下部ケース１３の底壁部１３Ｂのうち、接当部１３Ｃに取り囲まれる部位の中央位置には導体で成るセンター電極パターン４１が形成され、このセンター電極パターン４１を取り囲む位置には導体で成るリング電極パターン４２が形成されている。この下部ケース１３の底壁部１３Ｂにはセンター電極パターン４１に導通する押し操作検出回路がインサートの技術によって形成され、押し操作検出回路に導通する押し操作検出リード４３が下方に向けて突出形成されている。また、リング電極パターン４２は、連結パターン５９ｂ、５９ｃを介して共通固定電極パターン５１と導通している。具体的には、リング電極パターン４２は、１８０°近く離れた共通固定電極パターン５１Ｂ及び固定電極パターン５１Ｃのそれぞれから連結パターン５９ｂ、５９ｃを介して連結されて、電気的に導通されている。
【００２３】
また、共通固定電極パターン５１は、下部ケース１３の底壁部１３Ｂの内部にインサートの技術によって形成された回路を介して共通リード５４に導通する。また、第１固定電極パターン５２Ａは、インサートの技術によって形成された回路を介して第１カウントリード５５に導通している。同様に、第２固定電極パターン５２Ｂは、インサートの技術によって形成された回路を介して第２カウントリード４４に導通している。これら共通リード５４、第１カウントリード５５、及び、第２カウントリード４４は、下方に向けて突出形成されている。また、下部ケース１３の外面下部には、４つの傾動検出リード３３と、１つのコモンリード３４とが挿通する孔部を形成したリードホルダ部１３Ｈが形成されている。
【００２４】
更に、共通固定電極パターン５１が有する２以上の被接点部６０は、可動電極５７が有する複数の接点部５７Ａの回転軌跡Ｔと同じ円周上において、第１固定電極パターン５２Ａが有する２以上の被接点部６０、及び、第２固定電極パターン５２Ｂが有する２以上の被接点部６０によって分離されて配置されている。つまり、共通固定電極パターン５１Ａ、５１Ｂの組と、共通固定電極パターン５１Ｃ、５１Ｄの組とは、１８０°近く離れて形成されることになる。このように、リング電極パターン４２は、共通固定電極パターン５１と共に、共通固定電極パターン５１Ｂ及び共通固定電極パターン５１Ｃの２ヶ所を基準位置として用いて位置合わせされた上で底壁部１３Ｂにインサート成形されるので、その設置位置の精度は高くなる。
【００２５】
回転検出部Ｃは、操作ロッド２０にギヤ状に形成された複数の係合片２４から回転力が伝えられるロータ５６と、図３及び図４に示すように、このロータ５６の下面に形成した可動電極５７と、このロータ５６の下面に形成したクリックバネ５８とを備えている。また、ロータ５６の、可動電極５７及びクリックバネ５８と対向する面には、部分的に導電性部材６２が形成されており、この導電性部材６２によって可動電極５７とクリックバネ５８とが互いに電気的に導通するように構成されている。
【００２６】
このロータ５６は、絶縁性の樹脂材料を型成形することにより、中央部に筒状部５６Ａを形成し、この筒状部５６Ａの下端側に鍔状部５６Ｂを形成し、筒状部５６Ａの上端に係合片２４が嵌り込むように形成している。
【００２７】
このロータ５６の鍔状部５６Ｂの下面側には下方に向けて突出するリブが形成され、このリブの下端と、この鍔状部５６Ｂの上面との距離を、下部ケース１３に形成される空間の上下方向の寸法より僅かに小さい値に設定することにより、この複合操作スイッチを組み立てた状態では、このロータ５６の鍔状部５６Ｂの上面が上部ケース１２の中間壁部１２Ｂの下面に軽く接触することになり、ロータ５６の一層の安定回転を現出する。
【００２８】
可動電極５７は、銅合金等の導体をリング状に成形し、回転中心を有し、当該回転中心から同一半径の位置に複数の接点部５７Ａが形成された構造を有している。つまり、可動電極５７は、円周方向での特定位置において固定電極５０に摺接可能な接点部５７Ａを形成した構造を有している。本実施形態において、接点部５７Ａは、円周上の９０°間隔で合計４ヶ所に設けられている。
【００２９】
図５及び図６は、固定電極５０が有する複数の被接点部６０と可動電極５７の接点部５７Ａの位置関係を示す図である。図２、図５及び図６に示すように、固定電極５０は、可動電極５７と対面して設けられ、可動電極５７が有する複数の接点部５７Ａの回転軌跡Ｔと同じ円周上において複数の被接点部６０が飛び石状に配置されて構成されている。そして、この固定電極５０は、複数の被接点部６０のうちの２以上の被接点部６０を有して構成される第１固定電極パターン５２Ａ、複数の被接点部６０のうちの２以上の被接点部６０を有して構成される第２固定電極パターン５２Ｂ、及び、複数の被接点部６０のうちの２以上の被接点部６０を有して構成される共通固定電極パターン５１を有する。また、各固定電極パターン５１、５２Ａ、５２Ｂは、互いに導通しない。更に、第１固定電極パターン５２Ａが有する２以上（本実施形態では３個）の被接点部６０は、円周上において連続して並んで配置され、第２固定電極パターン５２Ｂが有する２以上（本実施形態では３個）の被接点部６０は、円周上において連続して並んで配置されている。尚、第１固定電極パターン５２Ａ及び第２固定電極パターン５２Ｂのそれぞれを１つの被接点部６０を用いて構成してもよい。
以上のように、第１固定電極パターン５２Ａ、第２固定電極パターン５２Ｂ及び共通固定電極パターン５１を構成する被接点部６０は同一円周上に形成されているので、それらが別々の円周上に形成される場合に比べて、その径を小型化することができる。
【００３０】
更に、図５（ａ）に例示するように、円周上における共通固定電極パターン５１Ａが設置されている角度範囲は２４°であり、共通固定電極パターン５１Ｂが設置されている角度範囲は２５．５°であり、共通固定電極パターン５１Ｃが設置されている角度範囲は２５．５°であり、共通固定電極パターン５１Ｄが設置されている角度範囲は、４．５°である。よって、円周上における共通固定電極パターン５１Ａ、５１Ｂ、５１Ｃ、５１Ｄが設置されている角度範囲の合計は、７９．５°である。また、各共通固定電極パターン間の隙間を含めた共通固定電極パターン５１Ａ、５１Ｂ、５１Ｃ、５１Ｄの角度範囲の合計は、８８．５°である。これらの角度は、可動電極５７の接点部５７Ａの間隔：９０°（＝３６０°／４個）よりも小さくなっている。つまり、本実施形態では、共通固定電極パターン５１Ａ、５１Ｂ、５１Ｃ、５１Ｄが設置されている角度範囲の合計を、接触点５７Ａの間の間隔（９０°）よりも小さく形成してある。
【００３１】
そして、ロータ５６の回転時には、図５（ｂ）及び図５（ｃ）に示すように、可動電極５７の接点部５７Ａは、第１固定電極パターン５２Ａ及び第２固定電極パターン５２Ｂの少なくとも一方に接触したタイミングで、共通固定電極パターン５１にも接触する。よって、第１固定電極パターン５２Ａ及び第２固定電極パターン５２Ｂと共通固定電極パターン５１とがそれぞれ導通状態に達する。
【００３２】
加えて、本実施形態の回転形パルススイッチでは、複数の被接点部６０は、可動電極５７の回転途中において、複数の接点部５７Ａの何れもが、第１固定電極パターン５２Ａ、第２固定電極パターン５２Ｂ、及び、共通固定電極パターン５１と導通しない全絶縁状態が発生するような位置関係で配置されている。
例えば、図２、図５（ａ）、及び、図６（ａ）〜図６（ｃ）に示したように、可動電極５７が有する接点部５７Ａの何れもが、第１固定電極パターン５２Ａ、第２固定電極パターン５２Ｂ、及び、共通固定電極パターン５１と導通していない。本実施形態では、図６（ａ）〜図６（ｃ）から分かるように、この全絶縁状態は、可動電極５７が１回転する間に１２回発生する。
【００３３】
以上のように、可動電極５７の接点部５７Ａと固定電極５０の被接点部６０は、可動電極５７と固定電極５０とが導通しない全絶縁状態が発生するような位置関係で配置されているので、全絶縁状態が発生している間は、可動電極５７が静電気を拾うことが無くなる。その結果、可動電極５７及び固定電極５０と電気的に接続されている各種電気部品にその静電気が入り込む頻度が低くなり、各種電気部品が静電破壊によって損傷する頻度が低くなる。
【００３４】
また、下部ケース１３の底壁部１３Ｂにおいて、固定電極５０を取り囲む位置にはクリック用の複数の凹凸部５３が形成されている。可動電極５７と導通しているクリックバネ５８は、柔軟に弾性変形する金属材料をリング状に成形し、その円周上での２ヶ所を下方に突出させた突出部５８Ａを備えた構造を有する。本実施形態において、突出部５８Ａは、接点部５７Ａが設けられている径方向と同一線上に設けられている。そして、操作ロッド２０の回転時（即ち、ロータ５６の回転時）には、突出部５８Ａが下部ケース１３の底壁部１３Ｂに形成されたクリック用の凹部５３ａ及び凸部５３ｂからなる凹凸部５３に係脱しながらクリック感を作り出す。特に、本実施形態では、上述したように、可動電極５７が１回転する間に１２回発生する全絶縁状態が発生するときには、突出部５８Ａが凹部５３ａに嵌まるように構成してある。
【００３５】
更に、本実施形態では、上記全絶縁状態が発生しているときに可動電極５７を接地するべく、突出部５８Ａが嵌まり込む凹部５３ａには、接地手段としての接地電極６１が形成されている。接地電極６１は、下部ケース１３の底壁部１３Ｂの内部にインサートの技術によって形成された回路を介して独自に接地されている。
このように、全絶縁状態が発生しているときの可動電極５７及びクリックバネ５８を接地する接地電極６１を設けていることで、可動電極５７及びクリックバネ５８が静電気を帯びていたとしても、全絶縁状態が発生している間に静電気を接地電極６１へ逃がすことができる。
【００３６】
押込み検出部Ｂは、下部ケース１３の底壁部１３Ｂに形成されたセンター電極パターン４１とリング電極パターン４２とを覆う位置に配置されるドーム状のバネ板材４５と、このバネ板材４５の上部に配置される第１接当部材４６と、これに嵌合連結する第２接当部材４７とを備え、更に、バネ受け部１３Ｄと操作ロッド２０のバネ受け部材２６との間に圧縮コイル型の戻しバネ４８を備えている。
【００３７】
バネ板材４５は、銅合金や鉄合金等の導体で成る円盤状の素材が用いられ、その中央部が上方に膨出するようにドーム状に成形されている。このバネ板材４５は押圧力が作用しない状況では周囲がリング電極パターン４２に接触しており、中央部がセンター電極パターン４１から離間している。
【００３８】
このバネ板材４５に上方から押圧力が作用した場合には弾性変形によりバネ板材４５の中央部がセンター電極パターン４１に接触することにより、センター電極パターン４１とリング電極パターン４２とが導通状態に達する。尚、図面には単一のバネ板材４５を配置した構造を示しているが、このバネ板材４５を複数重ねて用いても良い。
【００３９】
下側の第１接当部材４６はシリコンゴム等の比較的柔軟で絶縁性を有する樹脂材料で形成され、上側の第２接当部材４７は絶縁性で比較的硬質な樹脂材料を用い、この第１接当部材４６と第２接当部材４７とは嵌合連結している。下側の第１接当部材４６は接当部１３Ｃの内面に案内させる形態で上下方向に作動自在であり、上側の第２接当部材４７の上面には操作ロッド２０の下端の接当部２５の形状に沿う凹状面を上面に形成することにより、操作ロッド２０が多少傾斜した状態でも、この接当部２５からの圧力を第１接当部材４６を介してバネ板材４５に伝えるように機能する。
【００４０】
リブ状の接当部１３Ｃは、操作ロッド２０を押込み操作した際に、この操作ロッド２０からの押圧力によって押込み検出部Ｂが検出状態に達した後に、バネ受け部材２６に接当するように、下部ケース１３の底壁部１３Ｂからの突出量が設定されている。
【００４１】
以下に、操作ロッド２０の押し操作の検出機構について説明する。
押し操作検出リード４３と、共通リード５４との何れか一方の電圧を印加する状態において、操作ロッド２０を押込み操作した場合には、操作ロッド２０がロッド軸芯Ｙに沿って移動する。そして、この移動に伴いバネ板材４５に対して第１接当部材４６と第２接当部材４７とを介して操作ロッド２０からの押し操作力が作用し、バネ板材４５が弾性変形してセンター電極パターン４１とリング電極パターン４２とが導通状態に達し、この押し操作を押し操作検出リード４３の電圧信号として取り出せる。
【００４２】
このように操作ロッド２０を押し操作した際には、バネ板材４５が弾性変形する際にクリック感を作り出し、押し操作が検出された状況に達したことを操作する者に認識させ得るものにしている。また、操作ロッド２０を押込み操作した際には、バネ板材４５が弾性変形してセンター電極パターン４１とリング電極パターン４２とが導通状態に達した直後に、リブ状の接当部１３Ｃに対して操作ロッド２０のバネ受け部材２６が接当し、しかも、第１接当部材４６が柔軟に弾性変形するため、操作ロッド２０が強い力で押込み操作された場合でも、過大な力をセンター電極パターン４１やリング電極パターン４２、あるいは、バネ板材４５に作用させて破損させる不都合を回避できるものにしている。
【００４３】
操作ロッド２０を押し操作する際には操作ロッド２０が中立姿勢Ｎにあることが理想であるが、この操作ロッド２０が多少傾動した状態での押し操作も可能である。特に、操作ロッド２０が大きく傾動した状態で、押し操作した場合には、操作ロッド２０の下端のバネ受け部材２６のうち、傾動によって最も下方に突出した部位が接当部１３Ｃに接当することにより、この操作ロッド２０を中立姿勢Ｎに向かう方向への力を作用させ、操作ロッド２０を中立姿勢Ｎに近づけた状態での押し操作を実現するものにしている。
【００４４】
以下に、操作ロッド２０の回転操作の検出機構について説明する。
共通固定電極パターン５１と、第１固定電極パターン５２Ａ及び第２固定電極パターン５２Ｂとの何れか一方に電圧を印加する状態において、操作ロッド２０を回転操作した場合を考える。この場合、ロータ５６の回転に伴い可動電極５７の外周側の接点部５７Ａが第１固定電極パターン５２Ａに接触したタイミングで、可動電極５７と第１固定電極パターン５２Ａとが導通状態に達し、この接点部５７Ａが第１固定電極パターン５２Ａから離間したタイミングで可動電極５７と第１固定電極パターン５２Ａとが絶縁状態になる結果、上記第１カウントリード５５の電圧が逆方向に変化する。
同様に、ロータ５６の回転に伴い可動電極５７の外周側の接点部５７Ａが第２固定電極パターン５２Ｂに接触したタイミングで、可動電極５７と第２固定電極パターン５２Ｂとが導通状態に達し、この接点部５７Ａが第２固定電極パターン５２Ｂから離間したタイミングで可動電極５７と第２固定電極パターン５２Ｂとが絶縁状態になる結果、上記第２カウントリード４４の電圧が逆方向に変化する。
【００４５】
本実施形態では、可動電極５７と第１固定電極パターン５２Ａとが導通状態及び絶縁状態になるタイミングと、可動電極５７と第２固定電極パターン５２Ｂとが導通状態及び絶縁状態になるタイミングとは異なるように設計されている。従って、第１カウントリード５５及び第２カウントリード４４の電圧の変化タイミングを、この複合操作スイッチの外部の基板等においてカウント（計数）することにより、操作ロッド２０の回転量及び回転方向などの回転情報が導出される（インクリメンタル型のロータリエンコーダとして機能する）。
【００４６】
＜第２実施形態＞
第２実施形態の回転形パルススイッチは、第１実施形態の回転形パルススイッチと固定電極の構成は同様であるが、その他の機構が第１実施形態の回転形パルススイッチと異なっている。以下に第２実施形態の回転形パルススイッチについて説明するが、第１実施形態と同様の構成については説明を省略する。
【００４７】
図７は、第２実施形態の回転形パルススイッチの上面図であり、図８は、回転形パルススイッチの縦断面図であり、図９は、回転型パルススイッチの分解斜視図である。また、図１０はフレキシブル基板の上面図である。図示するように、第２実施形態の回転形パルススイッチは、ケース１１０に対して上下方向に移動可能に構成されることで押し操作を受け付けることのできる第１の操作体１８０を備える。第１の操作体１８０は、円盤状の操作部１８１と、この操作部１８１の下面に設けられた角柱状の押下部１８２とを有している。
【００４８】
また、第３の操作体１８０の周囲には、傾動操作及び回転操作を受け付けることのできる第２の操作体２００が設けられている。よって、第１実施形態と同様に、第２実施形態の回転形パルススイッチについても、第２の操作体２００の傾動操作を電気的に検出する傾動検出部Ａと、第１の操作体１８０の押込み操作を電気的に検出する押込み検出部Ｂと、第２の操作体２００の回転操作を電気的に検出する回転検出部Ｃとを備える複合操作スイッチが構成されている。
【００４９】
ケース１１０の底板部１１１上には、第１実施形態において説明したのと同様に、第２の操作体２００の回転操作を検出するために用いられる固定電極５０（第１固定電極パターン５２Ａ、第２固定電極パターン５２Ｂ、及び、共通固定電極パターン５１）が形成されているフレキシブル基板１２０が設けられている。フレキシブル基板１２０は、略円形の本体部１２１と、この本体部１２１に設けられた矩形状の外部接続部１２２とを有する。同様に、フレキシブル基板１２０には、第３の操作体１８０の押し操作を検出するのに用いられるセンター電極パターン４１及びリング電極パターン４２も形成されている。これら各電極パターンの配置は、図２、図５及び図６を参照して第１実施形態で説明したのと同様である。
【００５０】
図１０に示すように、フレキシブル基板１２０上には、第１固定電極パターン５２Ａ、第２固定電極パターン５２Ｂ、及び、共通固定電極パターン５１の中央位置に、導体で成るセンター電極パターン４１が形成され、このセンター電極パターン４１を取り囲む位置には導体で成るリング電極パターン４２が形成されている。また、リング電極パターン４２の周囲には環状電極パターン７０が形成されている。ここで、リング電極パターン４２と環状電極パターン７０とは、連結パターン７１によって連結されている。同様に、共通固定電極パターン５１と環状電極パターン７０とは、連結パターン７２によって連結されている。従って、共通固定電極パターン５１と環状電極パターン７０とリング電極パターン４２とは同電位である。
【００５１】
フレキシブル基板１２０上に形成された第１固定電極パターン５２Ａ、第２固定電極パターン５２Ｂ、及び、共通固定電極パターン５１は回転検出部Ｃによって使用される。また、フレキシブル基板１２０上に形成されたセンター電極パターン４１及びリング電極パターン４２は押込み検出部Ｂによって使用される。更に、フレキシブル基板１２０上の周縁部には、互いに９０°間隔で配置された４個の固定接点部７３が形成されており、これらは傾動検出部Ａによって使用される。
【００５２】
フレキシブル基板１２０の上方には、バネ部材１３０が、センター電極パターン４１及びリング電極パターン４２と相対するように配置される。そして、バネ部材１３０上には弾性体１４０が配置される。
また、フレキシブル基板１２０の上方には、４個のスナッププレート１３１が、４個の固定接点部７３とそれぞれ相対するように配置される。このスナッププレート１３１には、その頂部上に配置されるポロン１３２と、スナッププレート１３１をその頂部にポロン１３２を載せた状態でフレキシブル基板１２０に取り付けるためのテープ１３３とが組み合わされている。
更に、フレキシブル基板１２０の上方には、可動電極５７が、第１固定電極パターン５２Ａ、第２固定電極パターン５２Ｂ、及び、共通固定電極パターン５１と相対するように配置される。
【００５３】
更に、可動電極５７の上方には、第２の操作体２００と共に回転可能であり、可動電極５７が取り付けられる回転体１５０と、回転体１５０をケース１１０に固定するための固定体１６０とが配置される。
第２の操作体２００は、ケース１１０に被せられる環状の部材であり、環状の天板部２０１と、この天板部２０１の下面の外周縁部に立設された外壁部２０２と、天板部２０１の下面の外壁部２０２の内側部分に取り付けられる固定板１７０とを有している。
【００５４】
また、第２の操作体２００の下面には、この第２の操作体２００の傾動と連動して傾動する環状のキートップ１９０が設けられている。
キートップ１９０は、ケース１１０の外壁部１１２と第２の操作体２００の内壁部分との間の空間内に収容される環状の板状体であって、外周面に９０°間隔で設けられた４個の突起部１９１と、上面の内縁部に立設された環状の凸部１９２と、上面の凸部１９２を除いた領域に設けられたクリック用の凹凸部１９３とを有している。
更に、第２の操作体２００とキートップ１９０との間には、クリックバネ５８が設けられている。
【００５５】
第１の操作体１８０が押し操作されると、弾性体１４０を通じて押込み検出部Ｂのバネ部材１３０が押し下げられる。それに伴ってバネ部材１３０が反転し、他方のセンター電極パターン４１に接触する。その結果、押込み検出部Ｂがオン状態となり、その出力信号がフレキシブル基板１２０の外部接続部１２２を通じて図外の電子機器に入力される。
その後、第１の操作体１８０に対する押下力が無くなると、バネ部材１３０及び弾性体１４０の復元力により、第１の操作体１８０が押し上げられる。
【００５６】
また、第２の操作体２００が傾動操作されると、その第２の操作体２００の天板部２０１の操作側の部分がキートップ１９０の操作側の突起部１９１及び凸部１９２の一部を押し下げる。また、第２の操作体２００と連結される固定板１７０の外緑部の反操作側の部分がキートップ１９０の内縁部の反操作側を押し上げる。これにより、第２の操作体２００及びキートップ１９０が傾動する。このとき、キートップ１９０の突起部１９１がケース１１０の外壁部１１２の切欠き部１１３にガイドされ傾動する。
【００５７】
そして、キートップ１９０が傾動検出部Ａのスナッププレート１３１を押下する。すると、スナッププレート１３１が反転し、他方の固定接点部７３に接触する。これにより、傾動検出部Ａがオン状態となり、その出力信号がフレキシブル基板１２０の外部接続部１２２を通じて図外の電子機器に入力される。
【００５８】
その後、第２の操作体２００が開放されると、スナッププレート１３１の復元力により、キートップ１９０及び第２の操作体２００が押し上げられ、水平状態に復帰する。
【００５９】
第２の操作体２００が回転操作されると、当該第２の操作体２００に嵌合されている回転体１５０を回転させる。その結果、第１実施形態と同様に、回転体１５０に取り付けられた可動電極５７の接点部５７Ａが固定電極５０（第１固定電極パターン５２Ａ、第２固定電極パターン５２Ｂ、及び、共通固定電極パターン５１）上を摺動する。本実施形態においても、可動電極５７と第１固定電極パターン５２Ａとが導通状態及び絶縁状態になるタイミングと、可動電極５７と第２固定電極パターン５２Ｂとが導通状態及び絶縁状態になるタイミングとは異なるように設計されている。そして、第１カウントリード５５及び第２カウントリード４４の電圧の変化タイミングは、回転方向及び回転角を示す信号としてフレキシブル基板１２０の外部接続部１２２を通じて図外の電子機器に入力される。
また、第２の操作体２００の回転中には、第１実施形態と同様に、突出部５８Ａが上記凹凸部１９３に係脱しながらクリック感を作り出す。
【００６０】
＜別実施形態＞
上記実施形態では、第１固定電極パターン５２Ａ、第２固定電極パターン５２Ｂ、共通固定電極パターン５１が設置されている角度範囲、及び、可動電極５７の接点部５７Ａの設置間隔（９０°）について具体的な数値例を挙げて説明したが、それらの数値は適宜変更可能である。
また、上記実施形態において、共通固定電極パターン５１Ａ、５１Ｂ、５１Ｃのそれぞれは、回転軌跡Ｔ上の１８０°対向する位置に移動させてもよい。
【産業上の利用可能性】
【００６１】
本発明に係る回転形パルススイッチは、携帯電話機、ＰＤＡ、ゲーム機器の操作入力部や、家庭電化製品の操作入力部等に利用可能である。
【図面の簡単な説明】
【００６２】
【図１】第１実施形態の回転形パルススイッチの縦断側面図
【図２】下部ケースの底壁部の固定電極の配置を示す図
【図３】ロータに備えた可動電極を示す図
【図４】ロータと可動電極との分解斜視図
【図５】固定電極の被接点部の配置と可動電極の位置関係を示す図
【図６】固定電極の被接点部の配置と可動電極の位置関係を示す図
【図７】第２実施形態の回転形パルススイッチの上面図
【図８】第２実施形態の回転形パルススイッチの縦断面図
【図９】第２実施形態の回転型パルススイッチの分解斜視図
【図１０】フレキシブル基板の上面図
【符号の説明】
【００６３】
５０  固定電極
５１  共通固定電極パターン
５２Ａ  第１固定電極パターン
５２Ｂ  第２固定電極パターン
５７  可動電極
５７Ａ  接点部
６０  被接点部
６１  接地電極（接地手段）
Ｔ  回転軌跡
【図１】
2008097968.tif 000003
【図２】
2008097968.tif 000004
【図３】
2008097968.tif 000005
【図４】
2008097968.tif 000006
【図５】
2008097968.tif 000007
【図６】
2008097968.tif 000008
【図７】
2008097968.tif 000009
【図８】
2008097968.tif 000010
【図９】
2008097968.tif 000011
【図１０】
2008097968.tif 000012